(57)【要約】【課題】表面板とベース部材表面との間に位置ずれがある場合でも、ベース部材の背面側にセグメント状に配置された各光源による透過照明によって表面板上に文字や数字などを鮮明に表示させることができる照明装置を提供する。【解決手段】表示部分６ａ，６ｂを形成する複数のセグメント部７の形状を、表面側から背面まで貫通するように形成したベース部材３と、ベース部材３の背面側の各セグメント部７の位置に合わせてそれぞれ設置した複数のＬＥＤ４と、ベース部材４の表面側に固定されたＬＥＤ４の光を透過可能で全面がスモーク状に形成された表面板２とを有し、点灯させたＬＥＤ４の光をセグメント部７の背面側から表面側に出射させ、表面板２上にセグメント部７の形状を透過照明させて、文字や数字などを表示する。【選択図】図１
2008129398.tif 000002
【特許請求の範囲】
【請求項１】
表示部分を形成する複数のセグメント部の形状を、表面側から背面まで貫通するように形成したベース部材と、前記ベース部材の背面側の前記各セグメント部の位置に合わせてそれぞれ設置した複数の光源と、前記ベース部材の表面側に固定され、前記光源の光を透過可能で半透明状または非透明状に形成された表面板とを有し、
点灯させた前記光源の光を前記セグメント部の背面側から表面側に出射させ、前記表面板上に前記セグメント部の形状を透過照明させる、
ことを特徴とする照明装置。
【請求項２】
前記複数のセグメント部は、数字、英数字、絵文字のうちの少なくとも一つを表示可能なように組み合わされた形状で、前記ベース部材の表面側から背面まで貫通するようにして形成されている、
ことを特徴とする請求項１に記載の照明装置。
【発明の詳細な説明】
【技術分野】
【０００１】
本発明は、表面側の表示面に文字や数字等を透過照明により表示させる照明装置に関する。
【背景技術】
【０００２】
操作盤などに設けた操作スイッチに対応した点灯部を、その背面側に設けたＬＥＤなどの光源を操作スイッチのＯＮ／ＯＦＦ操作に応じて点灯させる構成は従来より知られている（例えば、特許文献１参照）。
【０００３】
ところで、前記特許文献１では、透明パネルの点灯部だけを光透過するように印刷して背面側から１つの光源（ＬＥＤ）で照明する構成であるが、操作パネルなどの表示部に印刷等によって形成された文字や数字などの形状を透過照明によって鮮明に表示させる場合には、表面板（表示板）に形成された文字や数字などの形状に対応してその背面側のベース部材の底面に複数の光源（ＬＥＤなど）をセグメント状に配置して、各光源と表面板との間に複数の遮光リブを設置する構成の照明装置が用いられる。
【０００４】
このような照明装置では、文字や数字などが印刷された表面板が位置ずれなくベース部材の表面に固定されている場合は、各遮光リブの内側に位置するセグメント状に配置された各光源による透過照明によって、表面板上の文字や数字などを鮮明に表示させることができる。
【特許文献１】特開２００６−１９０５９７号公報
【発明の開示】
【発明が解決しようとする課題】
【０００５】
しかしながら、表面板が所定位置から少しずれてベース部材の表面に固定された場合には、表面板上に形成された文字や数字などの位置とその背面側の各光源の周囲に設けている各遮蔽リブとの間にも位置ずれが生じる。これにより、セグメント状に配置された各光源からの透過照明時に表面板上の文字や数字などの一部がけられたりして、表面板上の文字や数字などを鮮明に表示できなくなる不具合が生じる。
【０００６】
そこで、本発明は、表面板とベース部材表面との間に位置ずれがある場合でも、ベース部材の背面側にセグメント状に配置された各光源による透過照明によって表面板上に文字や数字などを鮮明に表示させることができる照明装置を提供することを目的とする。
【課題を解決するための手段】
【０００７】
前記目的を達成するために請求項１に係る本発明の照明装置は、表示部分を形成する複数のセグメント部の形状を、表面側から背面まで貫通するように形成したベース部材と、前記ベース部材の背面側の前記各セグメント部の位置に合わせてそれぞれ設置した複数の光源と、前記ベース部材の表面側に固定され、前記光源の光を透過可能で半透明状または非透明状に形成された表面板とを有し、点灯させた前記光源の光を前記セグメント部の背面側から表面側に出射させ、前記表面板上に前記セグメント部の形状を透過照明させることを特徴としている。
【０００８】
また、請求項２に係る本発明の照明装置は、前記複数のセグメント部が、数字、英数字、絵文字のうちの少なくとも一つを表示可能なように組み合わされた形状で、前記ベース部材の表面側から背面まで貫通するようにして形成されていることを特徴としている。
【発明の効果】
【０００９】
本発明の照明装置によれば、表面板上にセグメント部の形状を透過照明することにより、表面板とベース部材表面との間に位置ずれが有る場合でも表面板上に文字や数字などを鮮明に表示させることができる。
【発明を実施するための最良の形態】
【００１０】
以下、本発明を図示の実施形態に基づいて説明する。図１は、本発明の実施形態に係る照明装置を示す分解斜視図、図２は、本発明の実施形態に係る照明装置を示す正面図、図３は、図２のＡ−Ａ線断面図である。
【００１１】
これらの図に示すように、本発明の実施形態に係る照明装置１は、樹脂材からなる表面板２と、表面板２の背面側が密着される樹脂材からなるベース部材３と、ベース部材３の背面側にねじ等により固着される複数のＬＥＤ（発光ダイオード）４を配置した基板５とを備えている。
【００１２】
表面板２は、その背面側のＬＥＤ４の光が透過可能なように印刷又は塗装処理によって全面がスモーク状の非透明状態に形成されている。円柱状のベース部材３の表面（表面板２側）には、表示したい文字や数字などに対応して２つの表示部分６ａ，６ｂが設けられており、この表示部分６ａ，６ｂの形状がベース部材３の背面（基板５側）まで貫通するように形成されている（図３参照）。
【００１３】
各表示部分６ａ，６ｂは、本実施形態では英数字や数字を表示可能なように７つのセグメント部に分割された、いわゆる７セグメント状に形成されている。また、各表示部分６ａ，６ｂの分割された７つの各セグメント部７における背面（基板５側）側の中央部には凹部８が形成されており、基板５の表面に前記各セグメント部７に対応して配置した各ＬＥＤ４がこの凹部８に位置するようにしている。
【００１４】
よって、図４に示すように、ベース部材３の表面側（表面板２側）から見た場合に表示部分６ａ，６ｂの各セグメント部７の中央部にＬＥＤ４が位置しており、各ＬＥＤ４の光は周囲に漏れることなく各セグメント部７の表面側（表面板２側）に出射する。これにより、各ＬＥＤ４が全て消灯しているときは表示部分６ａ，６ｂの各セグメント部７は視認できず、表面板２のスモーク状の表面が見えるだけである。また、ＬＥＤ４が点灯（発光）しているときは、点灯しているＬＥＤ４に対応した表示部分６ａ，６ｂのセグメント部７の形状に応じた光が出射することにより、ＬＥＤ４の光によってセグメント部７の形状を表面板２のスモーク状の表面を通して視認することができる。
【００１５】
本発明の実施形態に係る照明装置１は前記のように構成されており、全てのＬＥＤ４が消灯している非照明状態のときは表面板２のスモーク状の表面には何も表示されいない（図２参照）。
【００１６】
そして、表示させたい文字や数字に対応させて所定のＬＥＤ４が点灯（発光）することにより、点灯しているＬＥＤ４の光が対応する表示部分６ａ，６ｂのセグメント部７から出射し、表面板２のスモーク状の表面に透過照明される。これにより、例えば図５に示すように、点灯しているＬＥＤ４に対応している各セグメント部７により形成された所定の文字や数字（図５では、数字の１８）が、表面板２のスモーク状の表面に鮮明に表示される。
【００１７】
このように、本発明の実施形態に係る照明装置１によれば、点灯しているＬＥＤ４に対応しているベース部材３の各セグメント部７の形状を表面板２のスモーク状の表面に透過照明させて文字や数字を表示させる構成により、表示板２とベース部材３表面との間に位置ずれがある場合でも、表示板２の位置ずれに影響されることなく、ベース部材３の各セグメント部７によって形成された文字や数字を表面板２のスモーク状の表面に鮮明に表示することができる。
【００１８】
なお、前記した実施形態では、表示部分６ａ，６ｂを形成する複数のセグメント部７で英数文字や数字を表示させる構成であったが、これに限定されることなく、例えば複数のセグメント部７によって絵文字などを表示させるような場合でも同様に本発明を適用することができる。
【図面の簡単な説明】
【００１９】
【図１】本発明の実施形態に係る照明装置を示す分解斜視図。
【図２】本発明の実施形態に係る照明装置を示す正面図。
【図３】図２のＡ−Ａ線断面図。
【図４】ベース部材の表面側から背面に貫通するように形成された複数のセグメント部とＬＥＤを示す正面図。
【図５】本発明の実施形態に係る照明装置のＬＥＤの点灯にって数字が透過照明された表面板を示す正面図。
【符号の説明】
【００２０】
１        照明装置
２        表面板
３        ベース部材
４        ＬＥＤ（光源）
５        基板
６ａ，６ｂ      表示部分
７        セグメント部
【図１】
2008129398.tif 000003
【図２】
2008129398.tif 000004
【図３】
2008129398.tif 000005
【図４】
2008129398.tif 000006
【図５】
2008129398.tif 000007